(57)【要約】【課題】本発明は、印刷用紙の印刷用テンプレートの提供システムに関するものであり、特に、利用者の利便性を向上させたシステムを提供することを目的とするのもである。【解決手段】本発明は、インターネットのブラウザを利用した、印刷用紙の印刷用テンプレートを提供するシステムであって、印刷用紙を選択する工程と、所望のテンプレートを選択する工程と、テンプレートへ入力するデータが入力されたファイルを選択しアップロードする工程と、アップロードされたファイルを前記選択されたテンプレートのレイアウトに変更する工程と、このテンプレートのレイアウトに変更されたファイルを印刷に適したファイルに変更する工程とを有し、利用者は、前記テンプレートのレイアウトに変更されたファイルと前記印刷に適したファイルのいずれかを選択してダウンロード可能としたことを特徴とするものである。【選択図】    図１
2018022300.tif 000002
【特許請求の範囲】
【請求項１】
インターネットのブラウザを利用した、印刷用紙の印刷用テンプレートを提供するシステムであって、印刷用紙を選択する工程と、所望のテンプレートを選択する工程と、テンプレートへ入力するデータが入力されたファイルを選択しアップロードする工程と、アップロードされたファイルを前記選択されたテンプレートのレイアウトに変更する工程と、このテンプレートのレイアウトに変更されたファイルを印刷に適したファイルに変更する工程とを有し、利用者は、前記テンプレートのレイアウトに変更されたファイルと前記印刷に適したファイルのいずれかを選択してダウンロード可能としたことを特徴とする印刷用紙の印刷用テンプレートの提供システム。
【請求項２】
前記印刷用紙は、宛名用ラベル、名刺用シート、又はインデックスシートであることを特徴とする請求項１項記載の印刷用紙の印刷用テンプレートの提供システム。
【発明の詳細な説明】
【技術分野】
【０００１】
本発明は、宛名用ラベルや名刺用シート、インデックス用シート等の印刷用紙に所望の文書を印刷するためのテンプレートの提供サービスに関するものであり、特に、利用者のプリンタによって印刷できるデータ入力済み印刷用テンプレートの提供サービスに関するものである。
【背景技術】
【０００２】
従来、例えば、宛名書用のラベル（印刷用紙）の購入者に対して、印刷レイアウトを種々変更したテンプレートの提供サービスが、インターネットを利用して行われている。
このテンプレート提供サービスは、ＷＥＢブラウザ上でテンプレートを選択して、宛先データを入力した後、プリントボタンを押すと、利用者のプリンタによって、選択されたテンプレートのレイアウトでラベルの印刷が行われるものである。
従来のテンプレート提供サービスは、印刷を含めてＷＥＢアプリケーションで構築されている。
このため、そのＷＥＢアプリケーションの仕様によっては、特定のＷＥＢブラウザでは動作しなくなることもある。
例えば、従来のテンプレート提供サービスは、全てＡＤＯＢＥ  ＦＬＡＳＨ（登録商標）という規格或はアプリケーションで作成されているが、このＡＤＯＢＥ  ＦＬＡＳＨ（登録商標）に対応していないブラウザもある。特にモバイル系のブラウザに非対応のものが多い。
【０００３】
更に、将来変更される可能性のある規格をなるべく用いないサービスが望まれている。
また、利用者としても、印刷等の処理は、利用者のアプリケーションで行える方が好ましい場合もある。
特に、印刷用紙で印刷する内容に変更がある場合、再度、インターネットに接続してサービス提供サイトにアクセスして印刷するのは、無駄が多い。
【０００４】
【特許文献１】特開２００３−３３７８１０号
【発明の開示】
【発明が解決しようとする課題】
【０００５】
従来の印刷用紙のテンプレート提供サービスは、印刷などの処理が、ＷＥＢアプリケーションにより行われるため、利用者としては不便なこともあった。
尚、特許文献１は、ネットワークを介した差込印刷に関するものであり、利用者が、表形式ファイルをサーバー側に送信することによって、サーバー側でテンプレートに対応した印刷を行う方法が示されている。
しかしながら、このような印刷サービスは、印刷料金が必要となり、また、印刷した紙を郵送する必要があるなど、特に、少量の印刷を行う利用者にとっては、コストと時間の面で好ましいものではない。
本発明は、利用者の利便性を向上させたサービスを提供するものであり、特に、印刷データを修正したい場合などにも対応できるサービスを提供するものである。
【課題を解決するための手段】
【０００６】
本発明は、請求項１に記載するように、インターネットのブラウザを利用した、印刷用紙の印刷用テンプレートを提供するシステムであって、印刷用紙を選択する工程と、所望のテンプレートを選択する工程と、テンプレートへ入力するデータが記入されたファイルを選択しアップロードする工程と、アップロードされたファイルを前記選択されたテンプレートのレイアウトに変更する工程と、このテンプレートのレイアウトに変更されたファイルを印刷に適したファイルに変更する工程とを有し、利用者は、前記テンプレートのレイアウトに変更されたファイルと前記印刷に適したファイルのいずれかを選択してダウンロード可能としたことを特徴としている。
また、請求項２に記載するように、前記印刷用紙は、宛名用ラベル、名刺用シート、又はインデックスシートであることを特徴としている。
【発明の効果】
【０００７】
本発明によれば、利用者が、印刷に適したファイルか、或は編集可能なファイルのいずれかを選択してダウンロード可能とすることによって、利用者の利用形態に合わせたサービスを提供することが可能となる。
また、印刷工程を利用者の側で行うことを可能とし、ＷＥＢブラウザを選ばず、サービスを提供することが可能となる。
【図面の簡単な説明】
【０００８】
【図１】図１は、本発明の実施例のシステムの流れを示すブロック図である。
【図２】図２は、本発明の実施例のシステムの構成を示す視図である。
【図３】図３は、本発明の実施例のシステムに用いられる印刷用紙の一例を示す正面図である。
【図４】図４（ａ）（ｂ）（ｃ）は、本発明の実施例のシステムに用いられるテンプレートの例を示す図である。
【発明を実施するための最良の形態】
【０００９】
以下、本発明を実施するための最良の形態について、図面を参照して詳細に説明する。
【実施例】
【００１０】
以下、図に沿って本発明の一実施例を説明する。
図１は本発明の一実施例の印刷用紙（ラベルシール）に宛名を印刷するための、データ入力済みテンプレートを提供するシステムの流れ図である。
尚、この実施例に用いられる印刷用紙の一例を、図３に示す。
この印刷用紙は、Ａ４サイズの用紙であり、宛名を印刷する面の裏面には糊が設けられ、その糊の面が保護シートで覆われている。
また、縦方向に５つ、横方向に２つに切断するためのスリットが設けられており、合計で１０枚の宛名シールを印刷できる。
この印刷用紙は、大きさや、材質が異なる多数の種類のものがあり、利用者は、使用するプリンタの種類や、相手先の住所の長さなどに応じて、好ましい印刷用紙を購入し、使用する。
【００１１】
宛名印刷用のテンプレートの例を図４に示す。
図４（ａ）は、文字のみの標準的なレイアウトのテンプレートである。
図４（ｂ）は、図形を含むレイアウトのテンプレートである。
図４（ｃ）は、住所欄の下に直線を設けたレイアウトのテンプレートである。
これらは、一例に過ぎず、文字のみのテンプレートでも、文字の大きさを変更したものや、図形を含むテンプレートでは、異なる図形としたもの、直線を設けたテンプレートでは、氏名にアンダーラインを追加したもの等、多数のテンプレートを用いることができる。
【００１２】
本実施例のシステムは、図１に示す７つの工程からなり、それらの工程は、図２に示すように、利用者のＷＥＢブラウザ側では第１、第２、第３、第４、及び第７の工程が行われ、システム提供者のサーバ側では、第５、及び第６の工程が行われる。
以下、各工程を説明する。
第１工程（用紙選択）
利用者は、ブラウザの所定の案内に従って、印刷に利用する印刷用紙の種類を選択する。
ブラウザの用紙選択用ボタンをクリックすると表示されるプルダウンメニューから選択する。
選択すると、図３に示すような用紙の平面図が小さく表示され、用紙を正しく選択したか否かを利用者が確認可能となっている。
【００１３】
第２工程（テンプレート選択）
テンプレートを選択する。
ブラウザのテンプレート選択用ボタンをクリックすると、複数のテンプレートを表す図が縦方向に整列して表示される。
この中から、所望のテンプレートを表す図をクリックすることでテンプレートの選択が行われる。
【００１４】
第３工程（入力データの作成、又は入力データファイルの選択）
利用者は、ブラウザの入力フォームから直接入力データを入力するか、或は既に作成済の入力データファイルをアップロードするかを選択する。入力済のデータファイルを選択する場合は、表計算ソフトウエアのファイル形式で、例えば第１列を郵便番号、第２列を住所１、第３列を住所２、第４列を氏名というように、定められたデータ要素の並び順に従って作成しておく。
【００１５】
第４工程（入力データアップロード）
ブラウザの入力フォームから直接入力する場合も、作成済みのファイルを選択した場合も、アップロードボタンを利用者がクリックすることで、サーバー側に、入力データが送信される。
尚、ここまでの工程が、ＷＥＢブラウザで行われる。
【００１６】
第５工程（入力データをテンプレートのレイアウトに変更）
入力データが、サーバー側にアップロードされると、この入力データは、第２工程で選択されたテンプレート応じたレイアウトのファイルに変換される。例えば、入力された表計算ファイルの各行のデータが、テンプレートで決定される位置に印刷されるように、データの表示位置が決定され、また、図柄を含む場合はその図柄がファイルに追加される。
【００１７】
第６工程（入力データを印刷に適したファイルに変更）
印刷に適したファイルとは、入力データの各要素が、プリンタの種類に限定されることなく、同じ位置に印刷されるファイルをいう。
例えばＰＤＦ（Ｐｏｒｔａｂｌｅ  Ｄｏｃｕｍｅｎｔ  Ｆｏｒｍａｔ）
ファイルに変換される。
このファイルはデータの修正はできないが、どのようなプリンタでも、同じ状態の印刷を可能とするものである。
この第５、及び第６の工程はサーバー側で行われる。
尚、第６工程は、利用者がＷＥＢブラウザで、印刷に適したファイルのダウンロードを選択した後に行われる。
【００１８】
第７工程（サーバー側から第５工程、又は第６工程で作成したファイルのダウンロード）
利用者が、印刷に適したファイルのダウンロードボタン、又は編集可能なファイルのダウンロードボタンをクリックすると、印刷に適したファイルのダウンロードの場合は第６工程で作成したファイルを利用者側に送信し、編集可能なファイルのダウンロードをクリックした場合は、第５工程で作成したファイルを利用者側に送信する。
【００１９】
図２に、本実施例のシステムの概略を示す。
上述の各工程に対応する部分には図１と同じ番号を付している。
利用者が、本システムを利用する場合は、ＷＥＢブラウザで、本システムを提供するサイトのＵＲＬを入力して、サービス提供サイトをＷＥＢブラウザ上に表示する。
このサービス提供サイトでは、利用者が簡単に本システムを利用できるように、上述の各工程に沿って、案内、及び必要なボタン、参考図等を表示する。
利用者は、案内に即して、必要な選択ボタンをクリックし、またデータを入力フォームに入力し、或は作成済のファイルを選択しアップロードする。
利用者の選択情報や、アップロードデータは、インターネット１１を介して、サーバー１２に送信される。
サーバー１２では、利用者からの選択情報やアップロードデータ、ダウンロード要求に応じて、利用者のアップロードデータを入力した適切なテンプレートファイルを作成して、インターネット１１を介して、このデータ入力済テンプレートファイルを利用者に送信する。
【００２０】
利用者は、印刷に適したファイルをダウンロードした場合は、そのファイルを、利用者のプリンタで印刷する。編集可能なファイルをダウンロードした場合は、そのファイルを利用者の表計算ソフトウエアで開き、編集する。編集が済んだ後、利用者のプリンタで印刷する。
このとき、利用者のプリンタによっては、レイアウトがずれる場合もある。このような場合は、利用者の表計算ソフトウエアで、レイアウトを修正した後、利用者のプリンタで印刷する。
尚、必要であれば、編集したファイルを、本システムを用いてアップロードして、印刷に適したファイルをダウンロードしてもよい。
【００２１】
本発明は、上記実施例に限定されるものではなく、例えば、ブラウザに表示される情報は、上述の情報に限定されるものではない。
また、サーバーの構成は種々設定可能である。
また、印刷用紙も図３に限定されるものではなく、テンプレートも図４のものに限定されない。
印刷用紙は、宛名用ラベル、名刺用シート、インデックス用シートなどであってもよい。
同様に、テンプレートも、宛名用に限定されるものではなく、例えば名刺用、インデックス用などであってもよい。
【産業上の利用可能性】
【００２２】
本発明は、印刷用紙のテンプレート提供サービスにおいて、利用者の利便性を向上させるものである。
【符号の説明】
【００２３】
１：用紙選択工程
２：テンプレート選択工程
３：入力データ選択工程
４：入力データアップロード工程
５：入力データをテンプレートのレイアウトに変更する工程
６：入力データを印刷に適したファイルに変更する工程
７：第５工程、又は第６工程で作成したファイルをダウンロードする工程
【図１】
2018022300.tif 000003
【図２】
2018022300.tif 000004
【図３】
2018022300.tif 000005
【図４】
2018022300.tif 000006